(57)【要約】      （修正有）【課題】ＰＯＮポート識別子をマルチキャストアドレスから自動的に導出する。【解決手段】Ｍビットマルチキャストアドレスを識別すること、および、ＮビットＰＯＮポート識別子を導出することは、受動光ネットワーク（ＰＯＮ）の光伝送路終端装置（ＯＬＴ）において実施される。ＮビットＰＯＮポート識別子はＭビットマルチキャストアドレスより少ないビットを有する。ＮビットＰＯＮポート識別子を導出することは、ＭビットマルチキャストアドレスのＮ−１個の最下位ビット（ＬＳＢ）をＮビットＰＯＮポート識別子のＮ−１個のＬＳＢにマッピングすること、および、ＮビットＰＯＮポート識別子の１個の最上位ビット（ＭＳＢ）を、ＮビットＰＯＮポート識別子をマルチキャストポート識別子であるとして指定するビット設定に設定することを含む。【選択図】図１
2006174448.tif 000002
【特許請求の範囲】
【請求項１】
Ｍビットマルチキャストアドレスを識別すること、および、
ＭビットマルチキャストアドレスからＮビットＰＯＮポート識別子を導出することを含み、ＮビットＰＯＮポート識別子はＭビットマルチキャストアドレスより少ないビットを有し、前記ＮビットＰＯＮポート識別子を導出することは、ＭビットマルチキャストアドレスのＮ−１個の最下位ビット（ＬＳＢ）をＮビットＰＯＮポート識別子のＮ−１個のＬＳＢにマッピングすること、および、ＮビットＰＯＮポート識別子の１個の最上位ビット（ＭＳＢ）を、ＮビットＰＯＮポート識別子をマルチキャストポート識別子であるとして指定するビット設定に設定することを含む方法。
【請求項２】
Ｍビットマルチキャストアドレスは、インターネットプロトコル（ＩＰ）マルチキャストアドレスである請求項１に記載の方法。
【請求項３】
Ｍビットマルチキャストアドレスは、メディアアクセスコントロール（ＭＡＣ）マルチキャストアドレスである請求項１に記載の方法。
【請求項４】
ビット設定は１のビット設定である請求項１に記載の方法。
【請求項５】
前記識別することおよび前記導出することは、受動光ネットワーク（ＰＯＮ）の光伝送路終端装置（ＯＬＴ）と光ネットワーク終端ユニット（ＯＮＴＵ）の両方で実施される請求項１に記載の方法。
【請求項６】
前記ＮビットＰＯＮポート識別子を導出することは、前記Ｍビットマルチキャストアドレスを識別することに応答して、人の介入無しでネットワーク要素によって自動的に実施される請求項１に記載の方法。
【請求項７】
Ｍビットマルチキャストアドレスは、ＩＰマルチキャストアドレスとＭＡＣマルチキャストアドレスのうちの少なくとも一方であり、
ビット設定は１のビット設定であり、
前記識別することおよび前記導出することは、ＰＯＮのＯＬＴとＯＮＴＵの両方で実施され、
前記ＮビットＰＯＮポート識別子を導出することは、前記Ｍビットマルチキャストアドレスを識別することに応答して、人の介入無しで自動的に実施される請求項１に記載の方法。
【請求項８】
ネットワーク要素であって、
少なくとも１つのデータ処理デバイスと、
前記少なくとも１つのデータ処理デバイスに接続されたメモリと、
前記メモリからアクセス可能であり、かつ、前記少なくとも１つのデータ処理デバイスによって処理可能である命令とを備え、前記命令は、前記少なくとも１つのデータ処理デバイスが、
Ｍビットマルチキャストアドレスを識別すること、および、
ＭビットマルチキャストアドレスからＮビットＰＯＮポート識別子を導出することを容易にすることを可能にするように構成され、ＮビットＰＯＮポート識別子はＭビットマルチキャストアドレスより少ないビットを有し、前記ＮビットＰＯＮポート識別子を導出することは、ＭビットマルチキャストアドレスのＮ−１個の最下位ビット（ＬＳＢ）をＮビットＰＯＮポート識別子のＮ−１個のＬＳＢにマッピングすること、および、ＮビットＰＯＮポート識別子の１個の最上位ビット（ＭＳＢ）を、ＮビットＰＯＮポート識別子をマルチキャストポート識別子であるとして指定するビット設定に設定することを含むネットワーク要素。
【請求項９】
Ｍビットマルチキャストアドレスは、３２ビットインターネットプロトコル（ＩＰ）マルチキャストアドレスであり、ＮビットＰＯＮポート識別子は、１２ビットＰＯＮポート識別子である請求項８に記載のネットワーク要素。
【請求項１０】
前記識別することおよび前記導出することは、受動光ネットワーク（ＰＯＮ）の光伝送路終端装置（ＯＬＴ）と光ネットワーク終端ユニット（ＯＮＴＵ）の両方で実施される請求項８に記載のネットワーク要素。
【請求項１１】
前記ＮビットＰＯＮポート識別子を導出することは、前記Ｍビットマルチキャストアドレスを識別することに応答して、人の介入無しでネットワーク要素によって自動的に実施される請求項８に記載のネットワーク要素。
【請求項１２】
Ｍビットマルチキャストアドレスは、３２ビットＩＰマルチキャストアドレスと４８ビットＭＡＣマルチキャストアドレスのうちの一方であり、
ＮビットＰＯＮポート識別子は、１２ビットＰＯＮポート識別子であり、
ビット設定は１のビット設定であり、
前記識別することおよび前記導出することは、ＰＯＮのＯＬＴとＯＮＴＵの両方で実施され、
前記ＮビットＰＯＮポート識別子を導出することは、前記Ｍビットマルチキャストアドレスを識別することに応答して、人の介入無しで自動的に実施される請求項８に記載のネットワーク要素。
【発明の詳細な説明】
【技術分野】
【０００１】
本特許出願は、２００４年１２月１１日に出願され、「Ｄｅｒｉｖｉｎｇ  ＰＯＮ  Ｍｕｌｔｉｃａｓｔ  Ｐｏｒｔ  ｏｒ  ＰＯＮ  Ｍｕｌｔｉｃａｓｔ  ＶＰ  ｆｒｏｍ  ＩＰ  ｏｒ  ＭＡＣ  Ｍｕｌｔｉｃａｓｔ  Ａｄｄｒｅｓｓ」という名称の、同一出願人を有し、参照によりその全体が本明細書に組み込まれる同時係属中の米国仮特許出願第６０／６３４，８６６号の優先権を主張する。
【０００２】
本明細書で行う開示は、一般に、受動光ネットワークに関し、より詳細には、受動光ネットワーク内でポートを決定することに関する。
【背景技術】
【０００３】
インターネットプロトコル（ＩＰ）ビデオのサポートは、受動光ネットワーク（ＰＯＮ）に関する多くの難問を提示する。こうした難問が生じる１つの考察は、ＩＰビデオサービスが帯域幅の点で要求が比較的高く、そのため、帯域幅割り当て問題をもたらす可能性があることである。こうした難問が生じる別の考察は、多数のＩＰビデオチャネル（たとえば、ＩＰテレビチャネル）をサポートするための、ビデオオペレータからの比較的頻繁な要求が存在し、チャネルプログラミングの比較的頻繁な変更を引き起こすことである。こうした難問が生じるさらに別の考察は、複数チャネルの同時サポートに対する必要性が存在することである。こうした難問が生じるさらに別の考察は、加入者構内の複数のセットトップボックス（ＳＴＢ）が、同じチャネルに同調されることが多いことである。
【０００４】
ＰＯＮ信号伝送についてのブロードキャストの性質が与えられたとすると、ＰＯＮに対するチャネル輻輳を最小にする手段が適所になければならない。こうしたチャネル輻輳について、ならびに、いくつかの利用可能なチャネルについての帯域幅割り当ては、ＰＯＮ性能に悪影響を及ぼす可能性がある。ＩＰビデオサービスを提供するＰＯＮにおける帯域幅利用を高めるために、どれほど多くの視聴者がその特定のチャネルを実際に見ているかにかかわらず、特定のチャネルの２以上の複製をブロードキャストすることを回避することが好ましい。
【発明の開示】
【発明が解決しようとする課題】
【０００５】
したがって、ＰＯＮ上でのＩＰビデオのサポートに関連する難問に対処する解決策が、有益であり、かつ、有利であることになる。
【課題を解決するための手段】
【０００６】
本発明の実施形態は、ＰＯＮ上でのインターネットプロトコル（ＩＰ）ビデオのサポートに関連する難問に対処する。より具体的には、ＰＯＮポート識別子をマルチキャストアドレスから自動的に導出することによって、本発明の実施形態は、ＰＯＮ上での効率的なＩＰビデオおよびＰＯＮ上での効率的な帯域幅利用を提供するように、マルチキャストＰＯＮアドレス（たとえば、ポートｉｄｓおよび仮想ポート識別子）をサポートする。そうする時に、本発明による方法および機器は、ＩＰビデオサービスが帯域幅の点で要求が比較的高いこと、多数のＩＰビデオチャネルをサポートするためのビデオオペレータからの要求、複数チャネルの同時サポートに対する必要性、および加入者構内の複数のセットトップボックス（ＳＴＢ）が同じチャネルに同調されることに関連する難問に対処する。それに応じて、本発明は、有利には、ＰＯＮ汎用性およびＩＰビデオの魅力を高める。
【０００７】
本発明の一実施形態では、方法は、Ｍビットマルチキャストアドレスを識別すること、および、ＭビットマルチキャストアドレスからＮビットＰＯＮポート識別子を導出することを含む。ＮビットＰＯＮポート識別子はＭビットマルチキャストアドレスより少ないビットを有する。ＮビットＰＯＮポート識別子を導出することは、ＭビットマルチキャストアドレスのＮ−１個の最下位ビット（ＬＳＢ）をＮビットＰＯＮポート識別子のＮ−１個のＬＳＢにマッピングすること、および、ＮビットＰＯＮポート識別子の１個の最上位ビット（ＭＳＢ）を、ＮビットＰＯＮポート識別子をマルチキャストポート識別子であるとして指定する（ｄｅｓｉｇｎａｔｅ）ビット設定に設定することを含む。
【０００８】
本発明の別の実施形態では、方法は、３２ビットＩＰマルチキャストアドレスまたは４８ビットＭＡＣマルチキャストアドレスを識別すること、それぞれ、３２ビットＩＰマルチキャストアドレスから、または、４８ビットＭＡＣマルチキャストアドレスから１２ビットＰＯＮポート識別子を導出することを含む。１２ビットＰＯＮポート識別子を導出することは、３２ビットＩＰマルチキャストアドレスの１１個のＬＳＢを１２ビットＰＯＮポート識別子の１１個のＬＳＢにマッピングすること、または、４８ビットＭＡＣマルチキャストアドレスの１１個のＬＳＢを１２ビットＰＯＮポート識別子の１１個のＬＳＢにマッピングすることを含み、１２ビットＰＯＮポート識別子の１個のＭＳＢを、１２ビットＰＯＮポート識別子がマルチキャストポート識別子であるとして指定するビット設定に設定することを含む。
【０００９】
本発明の別の実施形態では、ネットワーク要素は、１つまたは複数のデータ処理デバイスと、１つまたは複数のデータ処理デバイスに接続されたメモリと、メモリからアクセス可能であり、かつ、１つまたは複数のデータ処理デバイスによって処理可能である命令とを備える。命令は、１つまたは複数のデータ処理デバイスが、Ｍビットマルチキャストアドレスを識別し、ＭビットマルチキャストアドレスからＮビットＰＯＮポート識別子を導出することを容易にすることを可能にするように構成される。ＮビットＰＯＮポート識別子はＭビットマルチキャストアドレスより少ないビットを有する。ＮビットＰＯＮポート識別子を導出することは、ＭビットマルチキャストアドレスのＮ−１個のＬＳＢをＮビットＰＯＮポート識別子のＮ−１個のＬＳＢにマッピングすること、および、ＮビットＰＯＮポート識別子の１個のＭＳＢを、ＮビットＰＯＮポート識別子をマルチキャストポート識別子であるとして指定するビット設定に設定することを含む。
【００１０】
ここで、本発明の特定の態様を考えると、少なくとも１つの実施形態では、ＭビットマルチキャストアドレスはＩＰマルチキャストアドレスである。
【００１１】
本発明の少なくとも１つの実施形態では、ＭビットマルチキャストアドレスはＭＡＣマルチキャストアドレスである。
【００１２】
本発明の少なくとも１つの実施形態では、ビット設定は１のビット設定である。
【００１３】
本発明の少なくとも１つの実施形態では、識別することおよび導出することは、ＰＯＮのネットワーク要素上で実施される。
【００１４】
本発明の少なくとも１つの実施形態では、ネットワーク要素は、光伝送路終端装置（ＯＬＴ）、光ネットワーク終端（ＯＮＴ）、または光ネットワークユニット（ＯＮＵ）である。
【００１５】
少なくとも１つの本発明の実施形態では、ＰＯＮポート識別子を導出することは、マルチキャストアドレスを識別することに応答して、人の介入無しでＰＯＮのネットワーク要素によって自動的に実施される。
【００１６】
本発明の、これらの、また、他の目的、実施形態の利点および／または相違点は、以下の説明、関連する図面、および添付特許請求の範囲をさらに吟味することによって、容易に明らかになるであろう。
【発明を実施するための最良の形態】
【００１７】
図１は、本明細書で方法１００と呼ぶ、本発明による方法の実施形態を示す。方法１００は、マルチキャストアドレスから受動光ネットワーク（ＰＯＮ）マルチキャストポート識別子を導出するように構成される。こうして、本発明は、光伝送路終端装置（ＯＬＴ）および光ネットワーク終端（ＯＮＴ）または光ネットワークユニット（ＯＮＵ）が、供給なく、マルチキャストアドレスからＯＬＴとＯＮＴ間のＰＯＮポートまたはＰＯＮ仮想ポート（ＶＰ）を個々にかつ自動的に導出することを可能にする。本発明によるこうした方法の使用によって、本発明は、どれほど多くの加入者がその特定のチャネルを実際に見ているかにかかわらず、特定のコンテンツ（たとえば、特定のテレビチャネル）の単一の複製が、ＰＯＮ上に提供されることを可能にし、ＰＯＮ上でＩＰビデオを提供することができる効率を高め、ＰＯＮ上での帯域幅利用効率を上げる。
【００１８】
簡単に、かつ、明確にするために、ＯＮＴおよびＯＮＵという用語は共に、以降で、光ネットワーク終端ユニット（ＯＮＴＵ）と呼ぶこととする。よく知られているように、ＯＮＴおよびＯＮＵは、類似した機能を提供する類似したデバイスである。これらのデバイスは、顧客構内機器（ＣＰＥ）と、そのＣＰＥの仕事をするＯＬＴとの間にインタフェース機能を提供する。ＯＮＴとＯＮＵの主要な相違点は、意図される物理的ロケーションおよび好ましいアプリケーションである。
【００１９】
図１に示すように、方法は、Ｍビットマルチキャストアドレスを識別するために実施されるオペレーション１０５を含む。Ｍビットマルチキャストアドレスの例は、３２ビットインターネットプロトコル（ＩＰ）マルチキャストアドレスおよび４８ビットメディアアクセスコントロール（ＭＡＣ）マルチキャストアドレスを含むが、それに限定されない。Ｍビットマルチキャストアドレスを識別することに応答して、ＭビットマルチキャストアドレスからＮビットＰＯＮポート識別子を導出するために、オペレーション１１０が実施される。ＮビットＰＯＮポート識別子は、ＰＯＮポートまたはＰＯＮマルチキャストＶＰを表すことができる。１２ビットＰＯＮポート識別子は、ＮビットＰＯＮポート識別子の例である。そのため、本発明によれば、ＮビットＰＯＮポート識別子は、Ｍビットマルチキャストアドレスより少ないビットを有する。
【００２０】
ＮビットＰＯＮポート識別子を導出することは、少なくとも２つのタスクをマッピングすることを含む。第１タスク１１５は、ＭビットマルチキャストアドレスのＮ−１個の最下位ビット（ＬＳＢ）をＮビットＰＯＮポート識別子のＮ−１個のＬＳＢにマッピングするために実施される。第２タスク１２０は、ＮビットＰＯＮポート識別子の１個の最上位ビット（ＭＳＢ）を、ＮビットＰＯＮポート識別子をマルチキャストポート識別子であるとして指定するビット設定に設定するために実施される。第１タスク１１５および第２タスク１２０は、順次に、または、並列に実施されてもよいことが、本明細書で開示される。その後、ＮビットＰＯＮポート識別子が、ＰＯＮを介した情報（たとえば、ビデオ信号情報）の伝送を容易にするのに利用されるように、ＮビットＰＯＮポート識別子を、ＰＯＮの論理要素、ＰＯＮのハードウェア要素、および／または、ＰＯＮのヒューマン要素に提供するために、オペレーション１２５が実施される。
【００２１】
図２は、３２ビットＩＰマルチキャストアドレスからの１２ビットＰＯＮポート識別子の導出を示す。３２ビットＩＰマルチキャストアドレスの４個のＭＳＢは固定であり、そのため、２８個のＬＳＢがマッピングされないままである。図２に示すように、１２ビットＰＯＮポート識別子の１個のＭＳＢが、１２ビットＰＯＮポート識別子をマルチキャストポート識別子であるとして指定するビット設定（すなわち、ビット値）に設定されるため、１２ビットＰＯＮポート識別子の１１個のＬＳＢのみがマッピングされる。１２ビットＰＯＮポート識別子は、ポート−ｉｄｓまたはＶＰＩについて標準値である、４０９６個の別個のポート識別子（すなわち、２＾１２個の別個のポート識別子）を提供する。しかし、別個のポート識別子のこの数は、任意のハードウェアが現実の実施態様を相応にサポートすると思われるよりもはるかに多い。
【００２２】
本発明によれば、１２ビットＰＯＮポート識別子をマルチキャストポート識別子であるとして指定するビット設定は、１のビット設定である。対照的に、本発明に無関係なアプリケーションについて、１２ビットＰＯＮポート識別子を汎用ポート識別子であるとして指定するために、１２ビットＰＯＮポート識別子の１個のＭＳＢが、１２ビットＰＯＮポート識別子を汎用ポート識別子であるとして指定するビット設定（すなわち、０のビット設定）に設定されるであろう。１２ビットＰＯＮポート識別子の１個のＭＳＢの使用が固定であるため、各ＰＯＮは、２０４８個までの別個のＩＰ  ＴＶチャネル（すなわち、２＾１１個の別個のＩＰ  ＴＶチャネル）をサポートすることができるだけである。
【００２３】
１２ビットＰＯＮポート識別子の１１個のＬＳＢのみがマッピングされると、これは、３２ビットＩＰマルチキャストアドレスの２８個の再割り当て可能ビットの１１ビットのみが、ＰＯＮポート識別子上にマッピングされることができることを意味する。それに応じて、３２ビットＩＰマルチキャストの１７ビットのアドレス指定容量は、同じＶＰ／ポート−ＩＤにマッピングされる（すなわち、１３１，０７２（２＾１７）個のＩＰマルチキャストアドレスは、同じＶＰ／ポート−ＩＤにマッピングされるであろう）。
【００２４】
図３は、４８ビットＭＡＣマルチキャストアドレスからの１２ビットＰＯＮポート識別子の導出を示す。４８ビットＭＡＣマルチキャストアドレスの２４個のＭＳＢは固定であり、そのため、２４個のＬＳＢがマッピング可能なままである。図３に示すように、１２ビットＰＯＮポート識別子の１個のＭＳＢが、１２ビットＰＯＮポート識別子をマルチキャストポート識別子であるとして指定するビット設定（すなわち、ビット値）に設定されるため、１２ビットＰＯＮポート識別子の１１個のＬＳＢのみがマッピングされる。上述したように、１２ビットＰＯＮポート識別子は、ポート−ｉｄｓまたはＶＰＩについて標準値である、４０９６個の別個のポート識別子（すなわち、２＾１２個の別個のポート識別子）を提供する。しかし、別個のポート識別子のこの数は、任意のハードウェアが現実の実施態様を相応にサポートすると思われるよりもはるかに多い。
【００２５】
本発明によれば、１２ビットＰＯＮポート識別子をマルチキャストポート識別子であるとして指定するビット設定は、１のビット設定である。対照的に、本発明に無関係なアプリケーションについて、１２ビットＰＯＮポート識別子を汎用ポート識別子であるとして指定するために、１２ビットＰＯＮポート識別子の１個のＭＳＢが、１２ビットＰＯＮポート識別子を汎用ポート識別子であるとして指定するビット設定（すなわち、０のビット設定）に設定されるであろう。１２ビットＰＯＮポート識別子の１個のＭＳＢの使用が固定であるため、各ＰＯＮは、２０４８個までの別個のＭＡＣ  ＴＶチャネル（すなわち、２＾１１個の別個のＭＡＣ  ＴＶチャネル）をサポートすることができるだけである。
【００２６】
１２ビットＰＯＮポート識別子の１１個のＬＳＢのみがマッピング可能であり、これは、４８ビットＭＡＣマルチキャストアドレスの２４個の再割り当て可能ビットの１１ビットのみが、ＰＯＮポート識別子上にマッピングされることができることを意味する。それに応じて、４８ビットＭＡＣマルチキャストの１３ビットのアドレス指定容量は、同じＶＰ／ポート−ＩＤにマッピングされる（すなわち、８１９２（２＾１３）個のＭＡＣマルチキャストアドレスは、同じＶＰ／ポート−ＩＤにマッピングされるであろう）。
【００２７】
ここで図４を参照すると、本発明によるネットワーク要素が示される。ネットワーク要素は、本明細書では、ネットワーク要素２００と呼ばれる。ネットワーク要素２００は、データ処理デバイス２０５（すなわち、少なくとも１つのデータ処理デバイス）、メモリ２１０、下流トラフィックインタフェース２１５、および上流トラフィックインタフェース２２０を含む。データ処理デバイス２０５、メモリ２１０、下流トラフィックインタフェース２１５、および上流トラフィックインタフェース２２０は、互いの間での相互作用を可能にするように接続される。プロセッサは、ネットワーク要素２００によって実施される多数の異なる機能についての処理要件を実行するように構成される。これらの機能の１つは、本発明によるＰＯＮポート識別子導出機能である。
【００２８】
ネットワーク要素２００がＯＮＴＵである場合、下流トラフィックインタフェース２１５は、加入者機器に対するトラフィックの伝送を可能にし、上流トラフィックインタフェースは、（たとえば、ＯＮＴＵを介して）ＯＬＴに対するトラフィックの伝送を可能にする。ネットワーク要素２００がＯＬＴである場合、下流トラフィックインタフェース２１５は、ＯＮＴＵに対するトラフィックの伝送を可能にし、上流トラフィックインタフェースは、中央オフィスまたはヘッドエンドに対するトラフィックの伝送を可能にする。
【００２９】
メモリ２１０上には、機能の中でもとりわけ、本発明によるＰＯＮポート識別子導出機能を実行するための命令２２５が存在する。命令２２５は、メモリからアクセス可能であり、かつ、データ処理デバイス２０５によって処理可能である。命令２２５は、図１〜３を上記で参照して述べたように、データ処理デバイスが、Ｍビットマルチキャストアドレス（たとえば、３２ビットＩＰマルチキャストアドレスまたは４８ビットＭＡＣマルチキャストアドレス）を識別し、ＭビットマルチキャストアドレスからＮビットＰＯＮポート識別子（たとえば、１２ビットＰＯＮポート識別子）を導出することを容易にすることを可能にするように構成される。ＮビットＰＯＮポート識別子はＭビットマルチキャストアドレスより少ないビットを有する。ＮビットＰＯＮポート識別子を導出することは、ＭビットマルチキャストアドレスのＮ−１個のＬＳＢをＮビットＰＯＮポート識別子のＮ−１個のＬＳＢにマッピングすること、および、ＮビットＰＯＮポート識別子の１個のＭＳＢを、ＮビットＰＯＮポート識別子をマルチキャストポート識別子であるとして指定する設定に設定することを含む。
【００３０】
先行する詳細な説明において、説明の一部を形成する添付図面が参照され、図面において、本発明を実施することができる特定の実施形態が、具体的に示すために示される。これらの実施形態および実施形態の一定の変形は、当業者が本発明の実施形態を実施することを可能にするのに十分詳細に述べられた。他の適した実施形態が利用されてもよいこと、および、本開示の精神または範囲から逸脱することなく、論理的、機械的、化学的、および電気的変更が行われてもよいことが理解される。不必要な詳細を回避するために、説明は、当業者に知られている一定の情報を省略する。したがって、先行する詳細な説明は、本明細書に述べる特定の形態に限定することを意図するのではなく、逆に、添付特許請求項の精神および範囲内に合理的に含むことができる、こうした代替形態、修正形態、および等価形態を包含することが意図される。
【図面の簡単な説明】
【００３１】
【図１】本発明による方法の実施形態を示す図である。
【図２】３２ビットＩＰマルチキャストアドレスからの１２ビットＰＯＮポート識別子の導出を示す図である。
【図３】４８ビットＭＡＣマルチキャストアドレスからの１２ビットＰＯＮポート識別子の導出を示す図である。
【図４】本発明によるネットワーク要素を示す図である。
【符号の説明】
【００３２】
２００  ネットワーク要素
２０５  データ処理デバイス
２１０  メモリ
２１５  下流トラフィックインタフェース
２２０  上流トラフィックインタフェース
２２５  命令
【図１】
2006174448.tif 000003
【図２】
2006174448.tif 000004
【図３】
2006174448.tif 000005
【図４】
2006174448.tif 000006
【外国語明細書】
2006174448.tif 000007
2006174448.tif 000008
2006174448.tif 000009
2006174448.tif 000010
2006174448.tif 000011
2006174448.tif 000012
2006174448.tif 000013
2006174448.tif 000014
2006174448.tif 000015
2006174448.tif 000016
2006174448.tif 000017
2006174448.tif 000018
2006174448.tif 000019
2006174448.tif 000020
2006174448.tif 000021
2006174448.tif 000022
2006174448.tif 000023